(57)【要約】【課題】ノードの故障に影響を受ける通信回線とユーザの少なくとも一方を自動的に表示させる。【解決手段】統合監視装置１の検索部１８は、設備データベース１５の１つのノード種別名と該名前に対応づけられた１つの監視対象ノード名と該名前に対応づけられた１つのハードウェア構成情報と該ハードウェア構成情報に対応づけられた１つのノード設定名とをデータ列として、到来した故障メッセージに含まれる全ての変動要素を含むデータ列を検索し、該検索されたデータ列のノード設定名にユーザデータベース１６で対応づけられている通信回線情報とユーザ名を検索し、メッセージ生成部１９が当該通信回線情報内の通信回線名を含む故障表示用メッセージ１１１と当該ユーザ名を含む故障表示用メッセージ１１２を生成し、当該メッセージを制御部１１が表示部１３に表示させる。【選択図】      図１
2004260674.tif 000002
【特許請求の範囲】
【請求項１】
複数のユーザのそれぞれが使用する１以上の通信回線に監視対象ノードが設けられ、各監視対象ノードには該ノードを構成するハードウェアまたはそのソフトウェアの設定がノード設定として１以上可能であるときに、当該監視対象ノードの故障に影響を受ける通信回線の通信回線名とユーザのユーザ名の少なくとも一方を表示させるネットワーク故障の影響表示制御装置であって、
各監視対象ノードが分類される各ノード種別のノード種別名を記憶した階層と、該階層の各ノード種別名に対応づけて当該ノード種別に分類された１以上の監視対象ノードのノード名を記憶した階層と、該階層の各ノード名に対応づけて当該ノード名をもつ監視対象ノードを構成する１以上のハードウェアを示すハードウェア構成情報を記憶した複数の階層と、該複数の階層の最下位層に対応づけて当該ハードウェアのまたはそのソフトウェアの１以上のノード設定名を記憶した階層とからなる設備データベースと、
各監視対象ノードに設けられた通信回線を使用する各ユーザのユーザ名を記憶した階層と、該階層の各ユーザ名に対応づけて当該ユーザ名のユーザに使用される通信回線の通信回線名を含む通信回線情報を記憶した複数の階層とからなり、最下位の階層は、設備データベースの階層を構成する１以上のノード設定名に対応づけられているユーザデータベースと、
いずれかの監視対象ノードの故障に際してメッセージが到来すると、前記設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、前記到来したメッセージに含まれる全ての変動要素を含むデータ列を検索し、該検索されたデータ列のノード設定名に前記ユーザデータベースで対応づけられている通信回線情報と当該検索されたノード設定名に対応づけられているユーザ名の少なくとも一方を検索する検索手段と、
前記検索された通信回線情報内の通信回線名とユーザ名の少なくとも一方を表示させる表示制御手段と
を備えることを特徴とするネットワーク故障の影響表示制御装置。
【請求項２】
請求項１のネットワーク故障の影響表示制御装置に対し、前記監視対象ノードからのメッセージを転送することを特徴とする監視装置。
【請求項３】
複数のユーザのそれぞれが使用する１以上の通信回線に監視対象ノードが設けられ、各監視対象ノードには該ノードを構成するハードウェアまたはそのソフトウェアの設定がノード設定として１以上可能であるときに、当該監視対象ノードの故障に影響を受ける通信回線の通信回線名とユーザのユーザ名の少なくとも一方を表示させるネットワーク故障の影響表示制御装置が、
各監視対象ノードが分類される各ノード種別のノード種別名を記憶した階層と、該階層の各ノード種別名に対応づけて当該ノード種別に分類された１以上の監視対象ノードのノード名を記憶した階層と、該階層の各ノード名に対応づけて当該ノード名をもつ監視対象ノードを構成する１以上のハードウェアを示すハードウェア構成情報を記憶した複数の階層と、該複数の階層の最下位層に対応づけて当該ハードウェアのまたはそのソフトウェアの１以上のノード設定名を記憶した階層とからなる設備データベースと、
各監視対象ノードに設けられた通信回線を使用する各ユーザのユーザ名を記憶した階層と、該階層の各ユーザ名に対応づけて当該ユーザ名のユーザに使用される通信回線の通信回線名を含む通信回線情報を記憶した複数の階層とからなり、最下位の階層は、設備データベースの階層を構成する１以上のノード設定名に対応づけられているユーザデータベースとを備えているときに、
いずれかの監視対象ノードの故障に際してメッセージが到来すると、前記設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、前記到来したメッセージに含まれる全ての変動要素を含むデータ列を検索し、該検索されたデータ列のノード設定名に前記ユーザデータベースで対応づけられている通信回線情報と当該検索されたノード設定名に対応づけられているユーザ名の少なくとも一方を検索し、前記検索された通信回線情報内の通信回線名とユーザ名の少なくとも一方を表示させることを特徴とするネットワーク故障の影響表示制御方法。
【請求項４】
請求項３記載のネットワーク故障の影響表示制御方法を実行させるネットワーク故障の影響表示制御プログラム。
【請求項５】
請求項３記載のネットワーク故障の影響表示制御方法を実行させるネットワーク故障の影響表示制御プログラムを格納した記録媒体。
【発明の詳細な説明】
【０００１】
【発明の属する技術分野】
本発明は、ノードの故障に影響を受ける通信回線とユーザの少なくとも一方を自動的に表示させることの可能なネットワーク故障の影響表示制御装置に関する。
【０００２】
【従来の技術】
従来において、複数のユーザのそれぞれが使用する複数の通信回線の途中の随所に通信装置（ノードと称する）が設けられたネットワークを管理する場合は、故障の際にノードから送信されるメッセージを解析者が逐一解析することにより、その故障による影響のあるユーザと通信回線を特定している。同類の分野の技術が下記特許文献に開示されている。
【０００３】
【特許文献１】
特開２０００−２７６４２１号公報
【０００４】
【発明が解決しようとする課題】
上記したように、従来にあっては、ノードの故障のメッセージを解析者が解析していたので、その故障による影響のあるユーザと通信回線を特定するまでに長時間を要し、ミス防止のためにその作業では慎重を要した。
【０００５】
そこで本発明は、上記の従来の課題に鑑みてなされたものであり、その目的とするところは、複数のユーザのそれぞれが使用する１以上の通信回線にノードが設けられているときに、ノードの故障に影響を受ける通信回線とユーザの少なくとも一方を自動的に表示させることの可能なネットワーク故障の影響表示制御装置を提供することにある。
【０００６】
【課題を解決するための手段】
上記従来の課題を解決するために、請求項１の本発明は、複数のユーザのそれぞれが使用する１以上の通信回線に監視対象ノードが設けられ、各監視対象ノードには該ノードを構成するハードウェアまたはそのソフトウェアの設定がノード設定として１以上可能であるときに、当該監視対象ノードの故障に影響を受ける通信回線の通信回線名とユーザのユーザ名の少なくとも一方を表示させるネットワーク故障の影響表示制御装置であって、各監視対象ノードが分類される各ノード種別のノード種別名を記憶した階層と、該階層の各ノード種別名に対応づけて当該ノード種別に分類された１以上の監視対象ノードのノード名を記憶した階層と、該階層の各ノード名に対応づけて当該ノード名をもつ監視対象ノードを構成する１以上のハードウェアを示すハードウェア構成情報を記憶した複数の階層と、該複数の階層の最下位層に対応づけて当該ハードウェアのまたはそのソフトウェアの１以上のノード設定名を記憶した階層とからなる設備データベースと、各監視対象ノードに設けられた通信回線を使用する各ユーザのユーザ名を記憶した階層と、該階層の各ユーザ名に対応づけて当該ユーザ名のユーザに使用される通信回線の通信回線名を含む通信回線情報を記憶した複数の階層とからなり、最下位の階層は、設備データベースの階層を構成する１以上のノード設定名に対応づけられているユーザデータベースと、いずれかの監視対象ノードの故障に際してメッセージが到来すると、前記設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、前記到来したメッセージに含まれる全ての変動要素を含むデータ列を検索し、該検索されたデータ列のノード設定名に前記ユーザデータベースで対応づけられている通信回線情報と当該検索されたノード設定名に対応づけられているユーザ名の少なくとも一方を検索する検索手段と、前記検索された通信回線情報内の通信回線名とユーザ名の少なくとも一方を表示させる表示制御手段とを備えることを特徴とするネットワーク故障の影響表示制御装置をもって解決手段とする。
【０００７】
この請求項１のネットワーク故障の影響表示制御装置によれば、設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、到来したメッセージに含まれる全ての変動要素を含むデータ列を検索し、該検索されたデータ列のノード設定名に前記ユーザデータベースで対応づけられている通信回線情報と当該検索されたノード設定名に対応づけられているユーザ名の少なくとも一方を検索して表示するので、ノードの故障に影響を受ける通信回線とユーザの少なくとも一方を自動的に表示させることが可能となる。
【０００８】
請求項２の本発明は、請求項１のネットワーク故障の影響表示制御装置に対し、前記監視対象ノードからのメッセージを転送することを特徴とする監視装置をもって解決手段とする。
【０００９】
この請求項２の監視装置によれば、ノードの故障に影響を受ける通信回線とユーザの少なくとも一方を自動的に表示させることを、請求項１のネットワーク故障の影響表示制御装置をして可能にすることができる。
【００１０】
請求項３の本発明は、複数のユーザのそれぞれが使用する１以上の通信回線に監視対象ノードが設けられ、各監視対象ノードには該ノードを構成するハードウェアまたはそのソフトウェアの設定がノード設定として１以上可能であるときに、当該監視対象ノードの故障に影響を受ける通信回線の通信回線名とユーザのユーザ名の少なくとも一方を表示させるネットワーク故障の影響表示制御装置が、各監視対象ノードが分類される各ノード種別のノード種別名を記憶した階層と、該階層の各ノード種別名に対応づけて当該ノード種別に分類された１以上の監視対象ノードのノード名を記憶した階層と、該階層の各ノード名に対応づけて当該ノード名をもつ監視対象ノードを構成する１以上のハードウェアを示すハードウェア構成情報を記憶した複数の階層と、該複数の階層の最下位層に対応づけて当該ハードウェアのまたはそのソフトウェアの１以上のノード設定名を記憶した階層とからなる設備データベースと、各監視対象ノードに設けられた通信回線を使用する各ユーザのユーザ名を記憶した階層と、該階層の各ユーザ名に対応づけて当該ユーザ名のユーザに使用される通信回線の通信回線名を含む通信回線情報を記憶した複数の階層とからなり、最下位の階層は、設備データベースの階層を構成する１以上のノード設定名に対応づけられているユーザデータベースとを備えているときに、いずれかの監視対象ノードの故障に際してメッセージが到来すると、前記設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、前記到来したメッセージに含まれる全ての変動要素を含むデータ列を検索し、該検索されたデータ列のノード設定名に前記ユーザデータベースで対応づけられている通信回線情報と当該検索されたノード設定名に対応づけられているユーザ名の少なくとも一方を検索し、前記検索された通信回線情報内の通信回線名とユーザ名の少なくとも一方を表示させることを特徴とするネットワーク故障の影響表示制御方法をもって解決手段とする。
【００１１】
この請求項３のネットワーク故障の影響表示制御方法によれば、設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、到来したメッセージに含まれる全ての変動要素を含むデータ列を検索し、該検索されたデータ列のノード設定名に前記ユーザデータベースで対応づけられている通信回線情報と当該検索されたノード設定名に対応づけられているユーザ名の少なくとも一方を検索して表示するので、ノードの故障に影響を受ける通信回線とユーザの少なくとも一方を自動的に表示させることが可能となる。
【００１２】
請求項４の本発明は、請求項３記載のネットワーク故障の影響表示制御方法を実行させるネットワーク故障の影響表示制御プログラムをもって解決手段とする。
【００１３】
この請求項４のネットワーク故障の影響表示制御プログラムによれば、ノードの故障に影響を受ける通信回線とユーザの少なくとも一方を自動的に表示させることが可能という本発明の流通性を通信回線等を用いて高めることができる。
【００１４】
請求項５の本発明は、請求項３記載のネットワーク故障の影響表示制御方法を実行させるネットワーク故障の影響表示制御プログラムを格納した記録媒体をもって解決手段とする。
【００１５】
この請求項５の記録媒体によれば、ノードの故障に影響を受ける通信回線とユーザの少なくとも一方を自動的に表示させることが可能という本発明の流通性を配送手段等を用いて高めることができる。
【００１６】
【発明の実施の形態】
以下、本発明の実施の形態を図面を参照して説明する。
【００１７】
図１は、本発明のネットワーク故障の影響表示制御装置を適用した実施の形態の構成図であり、図２は、本実施の形態で前提とするネットワークの構成図である。
【００１８】
図２に示すように、本実施の形態では、複数のユーザのそれぞれが使用する１以上の通信回線の途中の随所に監視対象の通信装置（ノードともいう。以下、監視対象ノード３という）が設けられ、各監視対象ノード３には該ノードを構成するハードウェアまたはそのソフトウェアの設定（ノード設定という）が１以上可能であるネットワークの存在を前提としている。
【００１９】
図１に示すように、これらノードの故障を監視する統合監視装置１は、複数の監視装置２に通信可能に構成され、各監視装置２は複数の監視対象ノード３に通信可能に構成されている。同一の監視装置２に通信可能にされた監視対象ノード３は同種のものであるが、異なる監視装置２に通信可能にされた監視対象ノード３同士は互いに異なる種類となっている。
【００２０】
各監視装置２は、通信可能にされた監視対象ノード３からのメッセージを受信するメッセージ受信部２１と、該メッセージ受信部２１が受信したメッセージを変換するメッセージ変換部２２と、該メッセージ変換部２２が変換に利用する変換データベース２３とを備えている。
【００２１】
統合監視装置１は、該統合監視装置１の動作を制御する制御部１１と、監視装置２で変換されたメッセージを受信する受信部１２と、統合監視装置１で生成されたメッセージを表示する表示部１３と、監視装置２からのメッセージが記憶されるメッセージデータベース１４と、設備データベース１５と、ユーザのデータが記憶されるユーザデータベース１６と、メッセージに含まれるデータを抽出するデータ抽出部１７と、抽出されたデータと設備データベース１５及びユーザデータベース１６を用いた検索を行う検索手段に相当する検索部１８と、検索結果によりメッセージを生成するメッセージ生成部１９とを備える装置である。なお、制御部１１とメッセージ生成部１９とが表示制御手段を構成する。
【００２２】
設備データベース１５は、図３に示すように、様様なノードで構成されているネットワークを構成する被監視対象装置群を同一の階層構造で表現するために作成した、仮想的な最上位メタデータクラスを示す第１階層と、各監視対象ノード３が分類される各ノード種別のノード種別名を記憶した第２階層と、第２階層の各ノード種別名に対応づけて当該ノード種別に分類された１以上の監視対象ノード３のノード名を記憶した第３階層と、第３階層の各ノード名に対応づけて当該ノード名をもつ監視対象ノードを構成する１以上のハードウェアを示すハードウェア構成情報を記憶した第４から第Ｎ−１までの階層と、第Ｎ−１階層に対応づけて当該ハードウェアのまたはそのソフトウェアの１以上のノード設定名を記憶した第Ｎ階層とからなる。
【００２３】
ユーザデータベース１６は、図４に示すように、ネットワークを利用している複数のユーザ群を同一の階層構造で表現するために作成した、仮想的な最上位メタデータクラスを示す第１階層と、各監視対象ノード３に設けられた通信回線を使用する各ユーザが分類される各ユーザグループのユーザグループ名を記憶した第２階層と、第２階層の各ユーザグループに対応づけて当該グループに分類された各ユーザのユーザ名を記憶した第３階層と、第３階層の各ユーザ名に対応づけて当該ユーザ名のユーザに使用される通信回線の通信回線名を含む通信回線情報を記憶した第４から第Ｍまでの階層とからなり、第Ｍ階層は、設備データベース１５の第Ｎ階層を構成する１以上のノード設定名に対応づけられている。
【００２４】
なお、設備データベース１５及びユーザデータベース１６における「〜名」は「〜の識別情報」と読み替えてもよい。また、名前には内容が付随または関連づけられているが本説明では言及しない。
【００２５】
設備データベース１５、ユーザデータベース１６のいずれにあっても、上位層のいずれかの１データに当該上位層の直下の下位層のデータが１以上対応するようになっている。
【００２６】
次に、本実施の形態の動作を説明する。なお、この説明では、１つの監視装置２が該装置と通信可能な１つの監視対象ノード３について行う処理と、統合監視装置１が１つの監視装置２について行う処理を説明するが、かかる処理は他の監視対象ノード３、他の監視装置２についても同様である。また、統合監視装置１内部に監視装置２を機能的に構成し、監視装置２と同様に処理を行ってもよい。
さて、監視装置２のメッセージ受信部２１は、監視対象ノード３から故障の際にＳＮＭＰ（ｓｉｍｐｌｅ  ｎｅｔｗｏｒｋ  ｍａｎａｇｅｍｅｎｔ  ｐｒｏｔｏｃｏｌ）トラップメッセージ（以下ＭＳＧという）１００を受信する。
【００２７】
図５（ａ）に示すように、ＭＳＧ１００は、故障の発生した年月日を示すデータ１０１と、故障時刻を示すデータ１０２と、故障の発生したノードの名前（故障発生ノード名）１０３と、ＳＮＭＰトラップメッセージ本文１０４とを含む。
メッセージ変換部２２は、図５（ｂ）に示すように、ＭＳＧ１００のＳＮＭＰトラップメッセージ本文１０４を故障メッセージ本文１０４Ａに置き換えることでＭＳＧ１００を故障メッセージ１１０へ変換する。
【００２８】
図６に示すように、変換データベース２３は、変換前のＳＮＭＰトラップメッセージ本文１０４の構成要素の順序を示す形式フィールドと、当該構成要素の中の不変要素であるものの内容を示した条件フィールドと、変換後の文における変動要素と不変要素以外の文字列の中に当該変動要素と不変要素の挿入位置を示したテンプレートフィールドとを備えるレコードを蓄積したデータベースである。
【００２９】
メッセージ変換部２２は、ＭＳＧ１００のＳＮＭＰトラップメッセージ本文１０４が、変換データベース２３のいずれかのレコードの形式フィールドに示された構成要素の順序で並んでいて、かつ、当該レコードの条件フィールドに示された不変要素が当該フィールドに示された内容を持つ場合は、当該レコードのテンプレートフィールドに示された文における変動要素と不変要素の挿入位置に当該ＳＮＭＰトラップメッセージ本文１０４における変動要素と不変要素とを挿入することにより故障メッセージ本文１０４Ａを生成する。そして、受信したＭＳＧ１００のＳＮＭＰトラップメッセージ本文１０４を故障メッセージ本文１０４Ａに置き換える。こうして変換された故障メッセージ１１０を、監視装置２は統合監視装置１へと送信する。
【００３０】
なお、メッセージ変換部２２は、順序や不変要素の内容が変換データベース２３のものと異なる場合は、故障メッセージ１１０への変換を行わずに処理を終える。したがって、この場合は、統合監視装置１における処理は行われないことになる
図７は、統合監視装置１の動作を示すフローチャートである。
【００３１】
統合監視装置１の受信部１２は、監視装置２から送信された故障メッセージ１１０を受信すると、この故障メッセージ１１０を制御部１１へ与え、制御部１１は与えられた故障メッセージ１１０をメッセージデータベース１４に格納する（ステップＳ１）。また制御部１１は、与えられた故障メッセージ１１０を表示部１３に表示させる（ステップＳ３）。
【００３２】
データ抽出部１７は、メッセージデータベース１４から故障メッセージ１１０を読み出し、この故障メッセージ１１０からテンプレートを除いた各データ（抽出データという）を抽出する（ステップＳ５）。
【００３３】
設備データベース１５の「監視対象ノード」と１つのノード種別名と該名前に対応づけられた１つの監視対象ノード名と該名前に対応づけられたハードウェア構成情報と、該ハードウェア構成情報に対応づけられた１つのノード設定名とを「データ列」とすると、検索部１８は、全ての抽出データを含む「データ列」を検索する（ステップＳ７）。
【００３４】
検索部１８は、検索したデータ列における第Ｎ階層であるノード設定名に対しユーザデータベース１６で対応づけられている通信回線情報（第４〜第Ｍ階層）と該通信回線情報に対応づけられているユーザ名（第３階層）とを検索する（ステップＳ９）。
【００３５】
次にメッセージ生成部１９は、検索された通信回線情報内の通信回線名を含む故障表示用メッセージ１１１と、検索されたユーザ名を含む故障表示用メッセージ１１２とを生成し（ステップＳ１１）、制御部１１が当該生成された故障表示用メッセージ１１１，１１２を表示部１３に表示させる（ステップＳ１３）。
【００３６】
したがって、統合監視装置１の表示部１３を見ることにより、監視対象ノード３の故障で影響を受ける通信回線とユーザを知ることができる。
【００３７】
なお、監視装置２が行ったＭＳＧ１００から故障メッセージ１１０への変換は統合監視装置１が行うようにしてもよい。すなわち、監視装置２は監視対象ノード３からのＭＳＧ１００を統合監視装置１へ転送するだけにしてもよい。また、統合監視装置１に少なくとも１つの監視装置２の機能を含ませてもよい。
【００３８】
また、ＳＮＭＰトラップメッセージに代えて他のメッセージを用いても勿論よい。
【００３９】
また、上記説明した処理を統合監視装置１に実行させるコンピュータプログラムであるネットワーク故障の影響表示制御プログラムは、半導体メモリ、磁気ディスク、光ディスク、光磁気ディスク、磁気テープなどのコンピュータ読み取り可能な記録媒体に格納したり、インターネットなどの通信網を介して伝送させて、本発明を広く流通させることができる。
【００４０】
【発明の効果】
以上説明したように、本発明によれば、設備データベースの１つのノード種別名と該名前に対応づけられた１つの監視対象ノード名と該名前に対応づけられた１つのハードウェア構成情報と該ハードウェア構成情報に対応づけられた１つのノード設定名とをデータ列として、到来したメッセージに含まれる全ての変動要素を含むデータ列を検索し、該検索されたデータ列のノード設定名にユーザデータベースで対応づけられている通信回線情報と当該検索されたノード設定名に対応づけられているユーザ名の少なくとも一方を検索して表示するので、ノードの故障に影響を受ける通信回線とユーザの少なくとも一方を自動的に表示させることが可能となる。
【００４１】
なお、本発明によれば、監視対象毎に異なる監視装置が存在する環境下において、監視対象毎に事象を解析する場合に比べて、特に顕著な効果を奏する。
【図面の簡単な説明】
【図１】本発明のネットワーク故障の影響表示制御装置を適用した実施の形態の構成図である。
【図２】本実施の形態で前提とするネットワークの構成図である。
【図３】設備データベース１５の構成図である。
【図４】ユーザデータベース１６の構成図である。
【図５】図５（ａ）は、ＳＮＭＰトラップメッセージ１００の構成図、図５（ｂ）は故障メッセージ１１０の構成図である。
【図６】変換データベース２３の構成図である。
【図７】統合監視装置１の動作を示すフローチャートである。
【符号の説明】
１  統合監視装置
２  監視装置
３  監視対象ノード
１１  制御部
１２  受信部
１３  表示部
１４  メッセージデータベース
１５  設備データベース
１６  ユーザデータベース
１７  データ抽出部
１８  検索部
１９  メッセージ生成部
１００  ＳＮＭＰトラップメッセージ
１１０  故障メッセージ
１１１，１１２  故障表示用メッセージ
【図１】
2004260674.tif 000003
【図２】
2004260674.tif 000004
【図３】
2004260674.tif 000005
【図４】
2004260674.tif 000006
【図５】
2004260674.tif 000007
【図６】
2004260674.tif 000008
【図７】
2004260674.tif 000009